(57)【要約】【課題】患者の容態をより正確に判定できる医療補助システムを提供する。【解決手段】受け付け端末は、受け付け情報の入力に伴って、カメラを制御して、診療を希望する患者を撮影させる。カメラは、撮影により取得した患者画像に対して撮影情報を付帯させた後、この患者画像を受け付け端末に送信する。受け付け端末では、カメラから送られた患者画像に対して、受け付け情報から抽出した識別情報を付帯させるとともに、患者画像を解析し、患者の肌の色合いを示す肌色評価値と、患者の肌の状態を示す肌状態評価値と、患者の表情を示す表情評価値とを算出し、算出した各評価値を患者画像に付帯させる。この後、受け付け端末は、この患者画像に付帯された識別情報に基づいて患者を特定し、対応する患者の患者情報として患者画像を院内データベースに蓄積する。【選択図】図６
2014092845.tif 000002
【特許請求の範囲】
【請求項１】
患者を撮影して患者画像を取得するカメラと、
前記患者画像を解析し、患者の容態に関する評価値を算出する評価値算出手段と、
前記評価値を蓄積する評価値蓄積手段とを備えたことを特徴とする医療補助システム。
【請求項２】
前記評価値が算出された際に、算出された評価値と、前記評価値蓄積手段に蓄積されたこの患者の過去の評価値とを比較し、患者の容態を検知する容態検知手段と、
前記容態検知手段により検知された患者の容態を報知する報知手段とを備えたことを特徴とする請求項１記載の医療補助システム。
【請求項３】
前記容態検知手段は、算出された評価値を、前記評価値蓄積手段に蓄積されたこの患者の過去の評価値のうち直近の評価値と比較することによって、患者の容態を検知することを特徴とする請求項２記載の医療補助システム。
【請求項４】
患者の診療結果を記録した電子カルテを記憶する電子カルテ記憶部を備え、
前記容態検知手段は、算出された評価値を、前記評価値蓄積手段に蓄積されたこの患者の過去の評価値の全てと比較し、最も近い評価値が算出された時期の診療結果を、前記電子カルテから抽出し、抽出した診療結果に基づいて患者の容態の変化を検知することを特徴とする請求項２記載の医療補助システム。
【請求項５】
前記カメラは、診療施設に設置されて、診療に訪れた患者を撮影することを特徴とする請求項１〜４いずれか記載の医療補助システム。
【請求項６】
前記評価値は、患者の容態に関する複数の項目のそれぞれについて算出されることを特徴とする請求項１〜５いずれか記載の医療補助システム。
【請求項７】
前記評価値として、患者の表情に対応する評価値が算出されることを特徴とする請求項６記載の医療補助システム。
【請求項８】
前記評価値として、患者の肌の色合いに対応する評価値が算出されることを特徴とする請求項６または７記載の医療補助システム。
【請求項９】
前記評価値として、患者の眼の状態に対応する評価値が算出されることを特徴とする請求項６〜８いずれか記載の医療補助システム。
【請求項１０】
前記患者画像は動画像として取得され、
前記評価値として、患者の体動に対応する評価値が算出されることを特徴とする請求項６〜９いずれか記載の医療補助システム。
【請求項１１】
前記患者画像は音声付きの動画像として取得され、
前記評価値として、患者の声に対応する評価値が算出されることを特徴とする請求項６〜１０いずれか記載の医療補助システム。
【請求項１２】
診療施設に設置されて、診療に訪れた患者を撮影して患者画像を取得するカメラと、
前記患者画像を蓄積する患者画像蓄積手段とを備えたことを特徴とする医療補助システム。
【請求項１３】
前記カメラにより新たな患者画像が撮影された際に、撮影された患者画像と、前記患者画像蓄積手段に記憶されたこの患者の過去の患者画像とを表示する表示手段を備えたことを特徴とする請求項１２記載の医療補助システム。
【請求項１４】
前記カメラにより新たな患者画像が撮影された際に、撮影された患者画像と、前記患者画像蓄積手段に記憶されたこの患者の過去の患者画像とを比較することによって、患者の容態を検知する容態検知手段と、
前記容態検知手段により検知された患者の容態を報知する報知手段とを備えたことを特徴とする請求項１３または１４記載の医療補助システム。
【発明の詳細な説明】
【技術分野】
【０００１】
本発明は、患者の診療を補助する医療補助システムに関するものである。
【背景技術】
【０００２】
診療施設では、適切な診療科や医師を選定することが難しく、診療が開始された後に診療科が変更されたり担当医が変更される場合があり非効率的であった。このため、適切な診療科や医師の選定を容易とするための対策が求められている。
【０００３】
下記特許文献１には、顔画像と病状や病名などを対応付けしたデータベースを有し、ユーザー（患者）から送られた顔画像をデータベースに照合することによって、病状や病名に関するレポートを作成したり、受信すべき診療科を通知する装置が記載されている。この装置では、患者側で事前に診療科を絞り込むことができるので、診療が開始された後に診療科が変更されるといった問題を減少させることができる。
【先行技術文献】
【特許文献】
【０００４】
【特許文献１】特開２００５−１０７７６８号公報
【発明の概要】
【発明が解決しようとする課題】
【０００５】
しかしながら、上記特許文献１記載の装置は、レポート作成対象患者の顔画像を、データベースに記憶された他人（レポート作成対象患者以外の者）の顔画像と比較するため、作成されたレポート（健康状態の判定）の信頼性が低いといった問題があった。つまり、健康な状態でも顔色が白い患者のレポートでは、健康であるにも関わらず顔色が悪く不健康などの評価結果となってしまう場合がある。
【０００６】
本発明は、上記背景を鑑みてなされたものであり、患者の容態をより正確に判定できる医療補助システムを提供することを目的としている。
【課題を解決するための手段】
【０００７】
上記目的を達成するために、本発明の医療補助システムは、患者を撮影して患者画像を取得するカメラと、前記患者画像を解析し、患者の容態に関する評価値を算出する評価値算出手段と、前記評価値を蓄積する評価値蓄積手段とを備えたことを特徴としている。
【０００８】
前記評価値が算出された際に、算出された評価値と、前記評価値蓄積手段に蓄積されたこの患者の過去の評価値とを比較し、患者の容態を検知する容態検知手段と、前記容態検知手段により検知された患者の容態を報知する報知手段とを備えていることが好ましい。
【０００９】
前記容態検知手段は、算出された評価値を、前記評価値蓄積手段に蓄積されたこの患者の過去の評価値のうち直近の評価値と比較することによって、患者の容態を検知するものでもよい。
【００１０】
患者の診療結果を記録した電子カルテを記憶する電子カルテ記憶部を備え、前記容態検知手段は、算出された評価値を、前記評価値蓄積手段に蓄積されたこの患者の過去の評価値の全てと比較し、最も近い評価値が算出された時期の診療結果を、前記電子カルテから抽出し、抽出した診療結果に基づいて患者の容態の変化を検知するものでもよい。
【００１１】
前記カメラは、診療施設に設置されて、診療に訪れた患者を撮影するものでもよい。
【００１２】
前記評価値は、患者の容態に関する複数の項目のそれぞれについて算出されるものでもよい。
【００１３】
前記評価値として、患者の表情に対応する評価値が算出されるものでもよい。
【００１４】
前記評価値として、患者の肌の色合いに対応する評価値が算出されるものでもよい。
【００１５】
前記評価値として、患者の眼の状態に対応する評価値が算出されるものでもよい。
【００１６】
前記患者画像は動画像として取得され、前記評価値として、患者の体動に対応する評価値が算出されるものでもよい。
【００１７】
前記患者画像は音声付きの動画像として取得され、前記評価値として、患者の声に対応する評価値が算出されるものでもよい。
【００１８】
また、本発明の医療補助システムは、診療施設に設置されて、診療に訪れた患者を撮影して患者画像を取得するカメラと、前記患者画像を蓄積する患者画像蓄積手段とを備えたことを特徴としている。
【００１９】
前記カメラにより新たな患者画像が撮影された際に、撮影された患者画像と、前記患者画像蓄積手段に記憶されたこの患者の過去の患者画像とを表示する表示手段を備えていることが好ましい。
【００２０】
前記カメラにより新たな患者画像が撮影された際に、撮影された患者画像と、前記患者画像蓄積手段に記憶されたこの患者の過去の患者画像とを比較することによって、患者の容態を検知する容態検知手段と、前記容態検知手段により検知された患者の容態を報知する報知手段とを備えていることが好ましい。
【発明の効果】
【００２１】
本発明は、患者画像または患者画像を解析することによって得られる患者の容態に関する評価値を蓄積し、蓄積された同一患者の患者画像または評価値に基づいて患者の容態を判定できるようにしたので、患者の容態をより正確に判定することが可能である。
【図面の簡単な説明】
【００２２】
【図１】医療補助システムの概略を示す構成図である。
【図２】患者情報の内容を示す説明図である。
【図３】受け付け端末の概略を示すブロック図である。
【図４】受け付け端末のＣＰＵの機能説明図である。
【図５】プレ診断の流れを示すフローチャートである。
【図６】診療受け付けの流れを示すフローチャートである。
【発明を実施するための形態】
【００２３】
図１に示すように、医療補助システム１０は、受け付け端末１２を備えている。受け付け端末１２には、例えばＬＡＮなどの通信ネットワーク１４を介して、院内データベース（評価値蓄積手段、患者画像蓄積手段、電子カルテ記憶部）１６や、診療科端末（報知手段）１８に接続されている。また、受け付け端末１２には、例えばＵＳＢケーブルなどの接続ケーブルを介して、カメラ２０が接続されている。
【００２４】
受け付け端末１２は、デスクトップ型またはノート型のコンピュータからなり、診療施設の受け付けに設置されている。受け付け端末１２では、液晶ディスプレイなどの表示手段１２ａに表示される診療受け付け用のＧＵＩに従って、キーボードやマウスなどの操作部１２ｂを操作して、患者ＩＤや患者氏名、及び、患者が診療を希望する診療科名など診療の受け付けに必要な受け付け情報を入力することによって、この患者の診療の受け付けが行われる。
【００２５】
院内データベース１６は、診療施設で用いられる各種情報を記憶するデータベースであり、電子カルテ２２や、患者情報２４などが格納されている。電子カルテ２２及び患者情報２４は患者毎に設けられており、電子カルテ２２は、患者毎の診療記録をデジタルデータ化したものである。
【００２６】
図２に示すように、患者情報２４は、患者毎に付与される患者ＩＤに対して、患者の氏名や年齢、性別、住所、保険証番号、及び、この患者を撮影した患者画像などが対応付けされたものである。さらに、患者画像には、付帯情報として後述する撮影情報、識別情報、評価値などが付帯されている。
【００２７】
図１に戻り、診療科端末１８は、デスクトップ型またはノート型のコンピュータからなり、各診療科に設置されている。受け付け端末１２において受け付け情報が入力されて診療の受け付けが行われると、患者が診療を希望する診療科の診療科端末１８に対して、この患者の診療要求及び後述するプレ診断の結果が入力される。診療科端末１８は、診療要求及びプレ診断の結果が入力されると、これらの情報を液晶ディスプレイなどの表示手段１８ａに表示する。各診療科では、診療科端末１８の表示手段１８ａに表示された診療要求及びプレ診断の結果を参照し、診療の順番や診療する医師を決定したり、診療器具の準備などが行われる。
【００２８】
カメラ２０は、デジタルカメラであり、診療施設の受け付けに設置され、診療施設に訪れた患者を撮影して患者画像を取得する。カメラ２０は、受け付け端末１２によって駆動制御されて前述した撮影を行うとともに、撮影した患者画像に撮影日時などの撮影条件を付帯情報として付帯させて、受け付け端末１２に送信する。
【００２９】
図３に示すように、受け付け端末１２は、パーソナルコンピュータやワークステーションなどのコンピュータをベースに、オペレーティングシステムなどの制御プログラムや、コンピュータを受け付け端末１２として機能させるためのアプリケーションプログラム（ＡＰ）３０をインストールすることによって構成される。
【００３０】
受け付け端末１２は、ストレージデバイス３２、メモリ３４、ＣＰＵ３６、通信Ｉ／Ｆ３８を備え、これらがデータバス４０を介して接続されている。ストレージデバイス３２は、例えば、ハードディスクドライブであり、制御プログラムが記憶されている。メモリ３４は、ＣＰＵ３６が処理を実行するためのワークメモリである。ＣＰＵ３６は、制御プログラムをメモリ３４にロードして制御プログラムに従った処理を実行することにより、コンピュータの各部を統括的に制御する。通信Ｉ／Ｆ３８は、通信ネットワーク１４及びカメラ２０との間で伝送制御を行うネットワークインターフェイスを備えており、受け付け端末１２は、通信Ｉ／Ｆ３８を介してカメラ２０と通信するとともに、通信Ｉ／Ｆ３８及び通信ネットワーク１４を介して院内データベース１６及び診療科端末１８と通信する。
【００３１】
また、ストレージデバイス３２には、ＡＰ３０として、受け付け処理ソフトウェアが記憶されている。受け付け処理ソフトウェアは、診療施設に訪れた患者の診察を受け付ける受け付け機能をコンピュータに実行させるためのプログラムである。ＣＰＵ３６は、受け付け処理ソフトウェアをメモリ３４にロードし、受け付け処理ソフトウェアに従った処理を実行することにより、コンピュータの各部を統括的に制御する。
【００３２】
図４に示すように、受け付け処理ソフトウェアが起動すると、ＣＰＵ３６はメモリ３４と協働して、撮影制御部５０、評価値算出部（評価値算出手段）５２、蓄積部（評価値蓄積手段、患者画像蓄積手段）５４、プレ診断部（容態検知手段）５６、診療要求送信部（報知手段）５８として機能する。
【００３３】
撮影制御部５０は、操作部１２ｂを介して受け付け端末１２に受け付け情報が入力されたか否かを監視し、受け付け情報が入力された場合、診療の受け付けがなされている、すなわち、受け付けに患者が存在するとみなしてカメラ２０に撮影を実行させ、患者画像を取得する。続いて、撮影制御部５０は、この患者画像に写された患者を特定するための情報として、受け付け情報から患者の氏名や患者ＩＤなど患者を識別するための識別情報を抽出する。
【００３４】
そして、撮影制御部５０は、抽出した識別情報を、撮影により取得された患者画像の付帯情報として付帯させ、評価値算出部５２に送信する。前述のように、カメラ２０から送信された患者画像は、撮影情報が付帯情報として付帯されたものである。よって、撮影制御部５０から評価値算出部５２に送信される患者画像は、撮影情報と識別情報との両方が付帯されたものとなる。
【００３５】
評価値算出部５２は、撮影制御部５０から患者画像が送信されると、この患者画像を解析し、肌の色合い、肌の状態、表情の３つのそれぞれの項目について患者の容態を示す評価値である、肌色評価値、肌状態評価値、表情評価値を算出する。これら各評価値は、「５：良い」、「４：まあまあ良い」、「３：普通」、「２：やや悪い」、「１：悪い」の５つの値のいずれかが算出される。
【００３６】
評価値算出部５２は、このようにして算出された各評価値を、患者画像の付帯情報として既存の付帯情報に追加して付帯させた後、蓄積部５４に送信する。このように、患者画像には、カメラ２０において撮影条件が付帯された後、撮影制御部５０において識別情報が付帯され、さらにこの後、評価値算出部５２において各評価値が付帯される。そして、これらの情報が付帯された患者画像が蓄積部５４に送信される。
【００３７】
蓄積部５４は、評価値算出部５２から患者画像が送信されると、この患者画像に付帯された識別情報に基づいて患者を特定し、特定した患者の患者情報２４として、この患者画像を記憶させる（患者情報２４に患者画像を追加する）。蓄積部５４は、評価値算出部５２から患者画像が送信される毎に、この患者画像を対応する患者情報２４に追加する。このように、医療補助システム１０では、患者が診療の受け付けを行う毎に、この患者の患者情報２４に患者画像が蓄積される。なお、以降の説明では、患者情報２４として蓄積された患者画像のうち最新のもの（すなわち、今回の診療の受け付けに伴って蓄積された患者画像）を、現在患者画像と称し、これ以外の患者画像（すなわち、今回以前の診療の受け付けに伴って蓄積された患者画像）を、過去患者画像と称する。
【００３８】
プレ診断部５６は、診療の受け付けが行われて、患者情報２４として新たな患者画像（現在患者画像）が記録されると、この現在患者画像と、この現在患者画が記録された患者情報２４に記録された過去患者画像とに基づいて患者の容態が回復しているかを判定するプレ診断を行う。
【００３９】
図５に示すように、プレ診断においてプレ診断部５６は、現在患者画像が記録された患者情報２４から新しい順に２つの患者画像（すなわち、現在患者画像と、過去患者画像のうち最新のもの）のそれぞれについて、各評価値の合計値を算出し、これら２つの合計値を比較する。そして、プレ診断部５６は、現在患者画像の各評価値の合計値が、過去患者画像のうち最新のものの各評価値の合計値よりも大きい場合は患者の容態は「回復している」と判定し、同じ場合は患者の容態は「変化していない」と判定し、小さい場合は患者の容態が「悪化している」と判定する。そして、プレ診断部５６は、この判定結果、すなわち、プレ診断の結果を診療要求送信部５８に送信する。
【００４０】
図４に戻り、診療要求送信部５８は、操作部１２ｂを介して受け付け端末１２に受け付け情報が入力されると、これを受けて、この患者の診療要求を生成する。そして、診療要求送信部５８は、受け付け情報の入力に伴ってプレ診断部５６から入力されたプレ診断の結果を、生成した診療要求に添付し、この患者が診療を希望する診療科の診療科端末１８に送信する。
【００４１】
以下、上記構成による本発明の作用について図６に示すフローチャートをもとに説明を行う。診療を希望する患者は、診療施設の受け付けにおいて、自身の患者ＩＤ（または氏名）や、診療を希望する診療科を、診療施設の受け付け担当者に告げる。そして、診療施設の受け付け担当者が、受け付け端末１２の操作部１２ｂを操作して患者から告げられた情報（受け付け情報）を入力することで、この患者の診療の受け付けが行われる。
【００４２】
図６に示すように、受け付け端末１２は、受け付け情報の入力に伴って、カメラ２０を制御して、診療を希望する患者を撮影させる。カメラ２０は、撮影により取得した患者画像に対して撮影情報を付帯させた後、この患者画像を受け付け端末１２に送信する。受け付け端末１２では、カメラ２０から送られた患者画像に対して、受け付け情報から抽出した識別情報を付帯させる。
【００４３】
続いて、受け付け端末１２は、撮影された患者画像を解析し、患者の肌の色合いを示す肌色評価値と、患者の肌の状態を示す肌状態評価値と、患者の表情を示す表情評価値とを算出し、算出した各評価値を患者画像に付帯させる。この後、受け付け端末１２は、この患者画像に付帯された識別情報に基づいて患者を特定し、対応する患者の患者情報２４として院内データベース１６に蓄積する。
【００４４】
このようにして、新たな患者画像（現在患者画像）が患者情報２４として記憶されると、受け付け端末１２は、この患者の患者情報２４として記憶された患者画像のうち最新の２つの患者画像（現在患者画像と過去患者画像の最新のもの）に基づいてプレ診断を行い、この患者の容態が「回復している」「変化していない」「悪化している」のいずれに属するかを判定する。そして、受け付け端末１２は、この患者の診療要求にプレ診断の結果を添付して、この患者が診療を希望する診療科の診療科端末１８に送信する。
【００４５】
以上のように、医療補助システム１０によれば、共通の患者を撮影した撮影時期の異なる患者画像を比較することによってプレ診断を行うので、異なる患者を撮影した患者画像を比較することによってプレ診断を行う場合と比較して、より正確な診断結果を得られる。また、プレ診断の結果を診療科端末１８に送信するので、プレ診断の結果に基づいて、この患者の診療を開始する前に、担当医の変更や診療順の変更、診療機器の準備などを行うことができるので、スムーズな診療が可能となる。
【００４６】
なお、本願発明は、上記実施形態に限定されるものではなく、細部の構成は適宜変更できる。例えば、カメラとして動画を撮影するカメラを用い、患者画像として動画像を蓄積してもよい。もちろん、音声付きの動画を撮影するカメラを用いてもよい。なお、患者画像が動画像である場合は、評価値を算出する際に、動画像を構成する複数のフレームの全てについて評価値を算出し、これらの平均値を評価値として用いてもよいし、予め設定された抽出方法（例えば、１０フレームおきに抽出するなど）によって抽出した１または複数のフレームに基づいて評価値を算出してもよい。
【００４７】
また、上記実施形態では、評価値として、患者の肌の色合い、患者の皮膚の状態、患者の表情の３つの項目について評価値を算出する例で説明をしたが、評価値を算出する項目の数や種類はこれに限定されず自由に設定できる。例えば、カメラとして動画を記録するものを用い、患者の体動を示す評価値を算出してもよい。この場合、患者画像の全て（または一部）のフレームについて前後のフレーム同士を比較することによって患者の体動を調べ、患者が震えているか否かや、震えの大きさや頻度などに基づいて評価値を算出すればよい。また、患者の眼の状態を示す評価値を算出してもよい。この場合、患者の眼が泳いでいるか否かや、目線や焦点があっているか否かなどに基づいて評価値を算出すればよい。また、患者画像に音声が含まれる場合は、患者の声に基づいて評価値を算出してもよい。もちろん、前述した以外の項目について評価値を算出してもよい。また、評価値の算出方法についても適宜設定できる。
【００４８】
また、上記実施形態では、プレ診断において、２つの患者画像の評価値の合計値を比較することによって患者の容態が回復に向かっているのか否かなどを判定する例で説明をしたが、２つの患者画像の評価値を項目毎に個別に比較し、項目毎に患者の容態が回復に向かっているか否かなどを判定してもよい。このように項目毎に判定を行った場合は、項目毎の判定結果のそれぞれをそのままプレ診断の結果としてもよいし、例えば、容態が回復に向かっていると判定された項目が所定の割合（例えば５割）を越えた場合に容態が回復に向かっていると判定するなど、項目毎の判定結果を総合的に考慮してプレ診断の結果を導出してもよい。
【００４９】
さらに、プレ診断において、患者が発症している可能性のある傷病を検出してもよい。この場合、評価値に基づいて患者が発症している可能性のある傷病を検出してもよいし、電子カルテに記憶された情報を利用して患者が発症している可能性のある傷病を検出してもよい。電子カルテを利用する場合、受け付け端末が、現在患者画像を過去患者画像の全てと比較し、現在患者画像に最も近い過去患者画像を検出し、この過去患者画像の付帯情報から、この過去患者画像の撮影時期を検出する。この後、この患者の電子カルテを参照して、検出した撮影時期にこの患者が発症していた傷病を抽出する。そして、受け付け端末が、抽出した傷病を、患者が発症している可能性のある傷病として検出する。
【００５０】
また、プレ診断の結果に加え、プレ診断の結果に基づくアドバイスを診療科端末に送信してもよい。この場合、予め受け付け端末に複数種類のメッセージを記憶させ、プレ診断の結果が得られた際に、受け付け端末が、この結果に対応するメッセージを抽出し、抽出したメッセージを診療科端末に送信すればよい（例えば、容態が悪化していると判定された場合は、より高度な技能を持つ医師への担当変更を促すメッセージを送信し、容態が回復していると判定された場合は、経験の浅い医師への担当変更を促すメッセージを送信するなど）。
【００５１】
また、上記実施形態では、患者画像に評価値を付帯させて蓄積する例、すなわち、患者画像と評価値との両方を蓄積する例で説明をしたが、評価値のみ、または、患者画像のみを蓄積してもよい。患者画像のみを蓄積する場合、評価値を用いずに患者画像同士を直接比較することによってプレ診断を行えばよい。もちろん、プレ診断を行うために評価値を算出し、上記実施形態と同様に評価値を比較することによってプレ診断を行った後、評価値を蓄積せずに破棄してもよい。
【００５２】
さらに、上記実施形態では、プレ診断を行う例で説明をしたが、プレ診断を行わずに、単に患者画像や評価値を蓄積し、必要に応じて受け付け端末や診療科端末で患者画像や評価値を参照できるようにしておくだけでもよい。また、プレ診断を行うか否かを受け付け端末や診療科端末において選択するようにしてもよい。さらに、プレ診断を行わず、診療の受け付けがなされた際に、現在患者画像と過去患者画像とを、受け付け端末や診療科端末の表示手段に並べて表示してもよい。現在患者画像に並べて表示する過去患者画像は、過去患者画像のうち最新のものでもよいし、過去患者画像のうち現在患者画像に最も類似しているものでもよい。なお、過去患者画像として現在患者画像に最も類似しているものを表示する場合は、この患者の電子カルテを参照し、この過去患者画像の撮影時期と同時期にこの患者が発症していた傷病に関する情報も同時に表示することが好ましい。
【００５３】
また、上記実施形態では、患者画像を含む患者情報を、電子カルテとは別に記憶する例で説明をしたが、電子カルテの一部として患者情報を記憶させてもよい。さらに、上記実施形態では、患者情報の一部として患者画像を蓄積する例で説明をしたが、患者画像を患者情報とは別に単体で蓄積してもよい。また、上記実施形態では、患者画像、患者情報、電子カルテが院内データベースに記憶されている例で説明をしたが、これらを受け付け端末に記憶させてもよい（受け付け端末に院内データベースとしての機能を持たせ、院内データベースを廃止してもよい）。
【００５４】
さらに、上記実施形態では、自動的に患者画像の撮影が行われる例で説明をしたが、受け付け端末において、撮影を行わせるタイミングを指示するようにしてもよい。また、患者の診療を受け付ける際に受け付け担当者がカメラで患者を撮影し、この撮影画像を受け付け端末に入力するようにしてもよい。さらに、カメラと受け付け端末とを有線接続する例で説明をしたが、無線接続してもよい。また、メモリーカードなどの着脱式の記憶媒体を介してカメラと受け付け端末との間で患者画像の受け渡しを行ってもよい。
【００５５】
なお、上記実施形態で示したとおり、本発明は、プログラムの形態、さらにはプログラムを記憶する記憶媒体にも及ぶことはもちろんである。
【符号の説明】
【００５６】
１０  医療補助システム
１２  受け付け端末
１６  院内データベース（評価値蓄積手段、患者画像蓄積手段、電子カルテ記憶部）
１８  診療科端末（報知手段）
２０  カメラ
２２  電子カルテ
２４  患者情報
３０  ＡＰ
３４  メモリ
３６  ＣＰＵ
５０撮影制御部
５２  評価値算出部（評価値算出手段）
５４  蓄積部（評価値蓄積手段、患者画像蓄積手段）
５６  プレ診断部（容態検知手段）
５８  診療要求送信部（報知手段）
【図１】
2014092845.tif 000003
【図２】
2014092845.tif 000004
【図３】
2014092845.tif 000005
【図４】
2014092845.tif 000006
【図５】
2014092845.tif 000007
【図６】
2014092845.tif 000008